【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
少なくとも第１のアプリケーションと第２のアプリケーションを含む複数のアプリケーションを連携して情報処理を行う情報処理装置であって、
前記第１のアプリケーションから前記第２のアプリケーションの呼び出し要求を行う第１の呼出手段と、
前記第２のアプリケーションでの処理後に、前記第１のアプリケーションに戻るために前記第１のアプリケーションの呼び出し要求を行う第２の呼出手段と、
第一のネットワークに接続した状態で前記第１の呼出手段によって前記第２のアプリケーションの呼び出し要求が行われる場合、第一のネットワークに関する情報を第一のネットワーク情報として記憶する第１の記憶手段と、
前記第２のアプリケーションでの処理において設定されたネットワークに関する情報を第二のネットワーク情報として記憶する第２の記憶手段と、
前記第二のネットワークでインターネットが使用できない場合は、前記第２の呼出手段によって前記第１のアプリケーションの呼び出し要求が行われる際に、前記第一のネットワークに切り替えるネットワーク切り替え手段と、を備えることを特徴とする情報処理装置。
【請求項２】
前記第２のネットワークでインターネットが使用できる場合は、前記ネットワーク切り替え手段は、前記第２の呼出手段によって前記第１のアプリケーションの呼び出し要求が行われる際に、ネットワークを切り替えないことを特徴とする請求項１に記載の情報処理装置。
【請求項３】
前記第１のアプリケーションがインターネットを利用しない場合、前記第二のネットワークでインターネットが使用できなくても、前記ネットワーク切り替え手段は、前記第２の呼出手段によって前記第１のアプリケーションの呼び出し要求が行われる際に、ネットワークを切り替えないことを特徴とする請求項１または２に記載の情報処理装置。
【請求項４】
前記第２のアプリケーションは、前記第１のアプリケーションがインターネットを利用するか否かに関する情報を、前記第１のアプリケーションから取得することを特徴とする請求項３に記載の情報処理装置。
【請求項５】
前記第２のアプリケーションは、外部装置から画像を取得する処理を行うアプリケーションであり、
前記第１のアプリケーションは、前記第２のアプリケーションで取得された画像を、インターネットを介して画像共有サービスへアップロードする処理を行うことを特徴とする請求項１乃至４のいずれか１項に記載の情報処理装置。
【請求項６】
前記第２のアプリケーションは、さらに前記外部装置をリモート制御することで前記外部装置に撮像処理を実行させる機能を持ち、
前記第２のアプリケーションは、リモート制御によって前記外部装置に撮像処理を実行させることで画像を取得するアプリケーションであることを特徴とする請求項５に記載の情報処理装置。
【請求項７】
前記第一のネットワークに関する情報は前記第一のネットワークの識別情報を含み、
前記第二のネットワークに関する情報は前記第二のネットワークの識別情報を含むことを特徴とする請求項１乃至６のいずれか１項に記載の情報処理装置。
【請求項８】
少なくとも第１のアプリケーションと第２のアプリケーションを含む複数のアプリケーションを連携して情報処理を行う情報処理装置であって、
前記第１のアプリケーションから前記第２のアプリケーションの呼び出し要求を行う第１の呼出手段と、
前記第２のアプリケーションでの処理後に、前記第１のアプリケーションに戻るために前記第１のアプリケーションの呼び出し要求を行う第２の呼出手段と、
第一のネットワークに接続した状態で前記第１の呼出手段によって前記第２のアプリケーションの呼び出し要求が行われる場合、第一のネットワークを識別するための第一のネットワーク識別情報を記憶する第１の記憶手段と、
前記第２のアプリケーションでの処理において設定された第二のネットワークを識別するための第二のネットワーク識別情報を記憶する第２の記憶手段と
前記第一のネットワーク識別情報と前記第二のネットワーク識別情報とが異なる場合は、前記第２の呼出手段によって前記第１のアプリケーションの呼び出し要求が行われる際に、第一のネットワークに接続を切り替えるネットワーク切り替え手段と、を備えることを特徴とする情報処理装置。
【請求項９】
前記第一のネットワーク識別情報と前記第二のネットワーク識別情報とが同じと判断した場合は、前記ネットワーク切り替え手段は、前記第２の呼出手段によって前記第１のアプリケーションの呼び出し要求が行われる際に、ネットワークを切り替えないことを特徴とする請求項８に記載の情報処理装置。
【請求項１０】
前記第２のアプリケーションは、外部装置から画像を取得する処理を行うアプリケーションであり、
前記第１のアプリケーションは、前記第２のアプリケーションで取得された画像を、ネットワーク上のプリンタに転送する処理を行うことを特徴とする請求項８または９に記載の情報処理装置。
【請求項１１】
第一のネットワークに接続した状態で第１のアプリケーションから第２のアプリケーションの呼び出し要求を行う第１の呼出手段と、
第二のネットワークに接続した状態で前記第２のアプリケーションでの処理が実行された後に、前記第１のアプリケーションに戻るために前記第１のアプリケーションの呼び出し要求を行う第２の呼出手段と、
前記第二のネットワークでインターネットが使用できない場合は、前記第２の呼出手段によって前記第１のアプリケーションの呼び出し要求が行われる際に、前記第一のネットワークに切り替えるネットワーク切り替え手段と、を備えることを特徴とする情報処理装置。
【請求項１２】
少なくとも第１のアプリケーションと第２のアプリケーションを含む複数のアプリケーションを連携して情報処理を行う情報処理装置の制御方法であって、
前記第１のアプリケーションから前記第２のアプリケーションの呼び出し要求を行う第１の呼出ステップと、
前記第２のアプリケーションでの処理後に、前記第１のアプリケーションに戻るために前記第１のアプリケーションの呼び出し要求を行う第２の呼出ステップと、
第一のネットワークに接続した状態で前記第１の呼出ステップによって前記第２のアプリケーションの呼び出し要求が行われる場合、第一のネットワークに関する情報を第一のネットワーク情報として記憶する第１の記憶ステップと、
前記第２のアプリケーションでの処理において設定されたネットワークに関する情報を第二のネットワーク情報として記憶する第２の記憶ステップと、
前記第二のネットワークでインターネットが使用できない場合は、前記第２の呼出ステップによって前記第１のアプリケーションの呼び出し要求が行われる際に、前記第一のネットワークに切り替えるネットワーク切り替えステップと、を備えることを特徴とする情報処理装置の制御方法。
【請求項１３】
情報処理装置の制御方法であって、
第一のネットワークに接続した状態で第１のアプリケーションから第２のアプリケーションの呼び出し要求を行う第１の呼出ステップと、
第二のネットワークに接続した状態で前記第２のアプリケーションでの処理が実行された後に、前記第１のアプリケーションに戻るために前記第１のアプリケーションの呼び出し要求を行う第２の呼出ステップと、
前記第二のネットワークでインターネットが使用できない場合は、前記第２の呼出手段によって前記第１のアプリケーションの呼び出し要求が行われる際に、前記第一のネットワークに切り替えるネットワーク切り替えステップと、を備えることを特徴とする情報処理装置の制御方法。
【請求項１４】
情報処理装置のオペレーションシステムにインストールされるアプリケーションであって、
前記情報処理装置のオペレーションシステムにインストールされているほかのアプリケーションを呼び出す手段と、
前記ほかのアプリケーションからの呼び出しを受け付ける手段と、
前記情報処理装置が第一のネットワークに接続した状態で前記ほかのアプリケーションを呼び出す場合、第一のネットワークに関する情報を第一のネットワーク情報として記憶する第１の記憶手段と、
前記情報処理装置が第一のネットワークとは異なる第二のネットワークに接続した状態で前記ほかのアプリケーションから呼び出しを受け付けた場合であり、かつ前記第二のネットワークでインターネットが使用できない場合は、前記第一のネットワークに切り替えるネットワーク切り替え手段と、を備えることを特徴とするアプリケーション。
【請求項１５】
コンピュータを請求項１乃至１１のいずれか１項に記載の情報処理装置の各手段として機能させるためのコンピュータが読み取り可能なプログラム。
【手続補正２】
【補正対象書類名】明細書
【補正対象項目名】０００９
【補正方法】変更
【補正の内容】
【０００９】
本願に係る発明の１つは、少なくとも第１のアプリケーションと第２のアプリケーションを含む複数のアプリケーションを連携して情報処理を行う情報処理装置であって、前記第１のアプリケーションから前記第２のアプリケーションの呼び出し要求を行う第１の呼出手段と、前記第２のアプリケーションでの処理後に、前記第１のアプリケーションに戻るために前記第１のアプリケーションの呼び出し要求を行う第２の呼出手段と、第一のネットワークに接続した状態で前記第１の呼出手段によって前記第２のアプリケーションの呼び出し要求が行われる場合、第一のネットワークに関する情報を第一のネットワーク情報として記憶する第１の記憶手段と、前記第２のアプリケーションでの処理において設定されたネットワークに関する情報を第二のネットワーク情報として記憶する第２の記憶手段と、前記第二のネットワークでインターネットが使用できない場合は、前記第２の呼出手段によって前記第１のアプリケーションの呼び出し要求が行われる際に、前記第一のネットワークに切り替えるネットワーク切り替え手段と、を備える。